(57)【要約】【課題】清潔で使い易く携帯性に優れた安価な動物用糞取り具を提供する。【解決手段】本発明はクランク上に形成した鉗子と、該鉗子下方に着脱自在に配設した外袋、および該外袋の中に入れ糞を直接収容する内袋にて構成する。鉗子をクランク状に形成することにより、使い易い作業角度を得ると共に外袋および内袋を矩形に開口するので地面に落ちた糞も容易に回収可能と成す。外袋は鉗子を自身の舌状部および係止具により着脱自在に抱持する。また、鉗子先端には外袋との係合爪を設け、外袋の爪差込み部と係合して鉗子と外袋の相対位置を保つ。内袋は外袋内に配置した後、開口部の前辺および両側辺を折返して外袋上部を覆い、該折返し部を外袋に備えた一対の係止具に挟んで係止することにより位置を規制する。外袋の両側面にはポケットを配設し、動物の写真やティッシュペーパーなどを収容可能とする。糞収容後は内袋挟止具を外し、内袋を取り出して廃棄する。【選択図】図１
2007306808.tif 000002
【特許請求の範囲】
【請求項１】
側面から見てクランク状に形成した鉗子と、該鉗子下方部に着脱自在に取付けた外袋と、該外袋の中に配設する内袋から成ることを特徴とする動物用糞取り具。
【請求項２】
外袋外側側面に内袋固定用の挟止具および小物ポケットを備えた請求項１の動物用糞取り具。
【請求項３】
前面および両側面の上方部を折返し、該折返し部を外袋に被せて使う内袋を用いた請求項１の動物用糞取り具。
【発明の詳細な説明】
【技術分野】
【０００１】
本発明は清潔で、使い易く、携帯性に優れた、安価な動物用糞取り具に関するものである。
【背景技術】
【０００２】
従来から動物の糞を回収する糞取り具は様々な発明が為されてきたが、糞回収袋の取付けおよび開閉機構が複雑であるためコストが高い、重い、耐久性に乏しいなどの問題があった。また、一直線上に形成されているため、使いにくい、持ち運び時に手が疲れるなど実用上の問題もあった。加えて、ファッション性にも乏しく商品として購買意欲が湧かないなどにより広く普及するに至っていない。
【特許文献１】特許第２８３４６９８号公報
【発明の開示】
【発明が解決しようとする課題】
【０００３】
本発明は動物用糞取り具において以下の課題を解決し、広く普及させることにより生活環境をきれいで衛生的に保つためになされたものである。
（イ）使い易いものであること。
（ロ）軽量で携帯性の高いものであること。
（ハ）安価に提供できるものであること。
（ニ）耐久性の高いものであること。
（ホ）ファッションナブルなものであること。
【課題を解決するための手段】
【０００４】
側面から見てクランク状に形成した鉗子と、該鉗子を着脱自在に抱持する外袋と、該外袋内に上方部の一部を切欠いた内袋を配置して糞を収容し、収容後は内袋ごと廃棄すること、外袋側面に小物ポケットを配設し、ファッション性や利便性を高めたことを特徴とした動物用糞取り具である。（図１参照）
【発明の効果】
【０００５】
本発明は排便姿勢に入った動物の肛門の下に外袋および内袋の口を開いて差出し、糞が地面に落ちる前に収容するものである。（図２参照）直接または間接的にも糞に触れることが無く、且つ糞収容時以外は口を閉じておくことができる（図３参照）ので悪臭を嗅がずに済み、糞が見えないので不潔感も少ない。また、鉗子は細い棒を曲げて形成されているので極めて軽量であり、クランク状に形成したことにより、歩行時に手を下げて持った時の手首と収容糞とのオフセットを無くすことができる（図４参照）ので手首の疲れが軽微である。また、該鉗子により開口が矩形になるので、取り損ねて地面に落ちた糞も該糞取り具を塵取りの要領で前辺を地面に密着させ、ヘラや棒で回収することもできる。（図５参照）糞を収容した内袋は外袋から取出し後、そのまま生活ゴミとして廃棄する。外袋は色や柄をプリントすると共に愛玩する動物の写真やティッシュペーパー、地面落下糞の回収ヘラなどを収納するポケットを設けることでファッション性および使い易さを高める。内袋についても色や柄をプリントすることによりおしゃれなイメージを持たせ、不潔感、不快感を軽減する。また、内袋の材質には消臭効果のあるフィルム材を用いても良い。
【発明を実施するための最良の形態】
【０００６】
以下、本発明の実施の形態を図6、図７、図８、図９、図１０、図１１にて説明する。
【０００７】
鉗子１は把持部１ａおよび連結部１ｂおよび袋取付け部１ｃにてクランク形状を成す。（図６参照）
【０００８】
把持部１ａと連結部１ｂが成す角度αおよび連結部１ｂと袋取付け部１ｃが成す角度βは夫々９０度以上とする。（図６参照）
【０００９】
袋取付け部１ｃは外袋２が抜けるのを防止するため先端を直角に曲げた係合爪１ｄを形成する。（図６参照）
【００１０】
係合爪１ｄは開いた時に正面から見て平行になるようあらかじめ夫々角度γを開いておく。（図７参照）
【００１１】
把持部１ａはリング状を形成し、指の動きに連動し易くする。また、手に馴染み易いよう軟質樹脂コーディングまたは樹脂成形として角を丸める処置を施しておく。（図８参照）
【００１２】
外袋２両側面には最上部を折返し溶着または縫合２ａして、鉗子１の袋取付け部１ｃを抱持する舌状部２ｃを設け、該鉗子抱持舌状部２ｃと外袋２本体部とに相対する鉗子抱持舌状部係止具雌２ｄａ、鉗子抱持舌状部係止具雄２ｄｂを取付ける。（図８、図９参照）
【００１３】
外袋２両側面の最上部折返し部の先端には溶着または縫合２ａの一部に不溶着または不縫合部を設け、鉗子１先端の係合爪１ｄを挿入する係合爪差込み部２ｂを形成する。（図１０参照）
【００１４】
外袋２は鉗子１の袋取付け部１ｃ先端の係合爪１ｄを外袋２の係合爪差込部２ｂに挿入した後、鉗子抱持舌状部２ｃと外袋２本体とで挟み、一対の鉗子抱持舌状部係止具２ｄを係止することにより鉗子１に保持される。（図８、図９、図１０参照）
【００１５】
外袋２の両側面に内袋３を固定する内袋挟止舌状２ｅを溶着または縫合２ｇし、該内袋挟止舌状２ｅの先端部分に内袋挟止具雌２ｆａを取付ける。（図９参照）
【００１６】
外袋２本体両側面には該内袋挟止具雌２ｆａに相対する内袋挟止具雄２ｆｂを取付ける。（図９参照）
【００１７】
外袋２より深さの深い内袋３を外袋２の中に入れ、はみ出し部を折返して外袋２を覆うことにより外袋２の周囲に糞が付くことを防止すると共に一対の内袋挟止具２ｆａ、２ｆｂを内袋折返し部３aを挟んで係合することにより内袋３を固定する。（図９参照）
【００１８】
内袋３上部は後辺を切欠かいておき、前辺、両側辺を折返すようにして外袋２に被せる作業を楽にする。（図１１参照）
【００１９】
外袋２の両側面には透明な材料でポケット２ｈを溶着または縫合２ｉし、動物の写真などを入れることでファッション性を高める他、ティッシュペーパーや地面に落下した糞を収容するヘラなどを入れられるようにして利便性を高める。（図８参照）
【図面の簡単な説明】
【００２０】
【図１】本発明の構成要素と特徴を示す斜視図
【図２】通常の糞回収時の状態を示す図
【図３】袋を閉じた時の斜視図
【図４】歩行時の重心を示す図
【図５】地面に落ちた糞を回収する状態を示す図
【図６】鉗子の特徴を示す側面図
【図７】鉗子の正面図
【図８】構成要素の詳細を示す図
【図９】図８内ア−ア断面図
【図１０】図８内イ詳細図
【図１１】内袋形状説明図
【符号の説明】
【００２１】
１鉗子
１ａ把持部
１ｂ連結部
１ｃ袋取付け部
１ｄ係合爪
２外袋
２ａ溶着または縫合部
２ｂ係合爪差込み部
２ｃ鉗子挟止舌状部
２ｄ鉗子挟止舌状部係止具
２ｄａ鉗子挟止舌状部係止具雌
２ｄｂ鉗子挟止舌状部係止具雄
２ｅ内袋挟止舌状部
２ｆ内袋挟止具
２ｆａ内袋挟止具雌
２ｆｂ内袋挟止具雄
２ｇ溶着または縫合部
２ｈポケット
２ｉ溶着または縫合部
３内袋
３a内袋折返し部
α把持部と連結部が成す角度
β連結部と袋取付け部が成す角度
γ係止爪の正面曲げ角度
【図１】
2007306808.tif 000003
【図２】
2007306808.tif 000004
【図３】
2007306808.tif 000005
【図４】
2007306808.tif 000006
【図５】
2007306808.tif 000007
【図６】
2007306808.tif 000008
【図７】
2007306808.tif 000009
【図８】
2007306808.tif 000010
【図９】
2007306808.tif 000011
【図１０】
2007306808.tif 000012
【図１１】
2007306808.tif 000013